(57)【要約】      （修正有）【課題】ＬＥＤランプの光源であるＬＥＤチップの有する高指向性及び低発熱性に着目し、その特性を利用して新規な用途を備えたＬＥＤランプを提供する。【解決手段】ＬＥＤチップ１２を実装したモジュール基板１３を放熱体１１の一端に固定し、モジュール基板１３を覆うように透明又は半透明のグローブ１４を放熱体１１に取り付け、放熱体１１の他端側に口金１５を取り付け、ＬＥＤチップ１２に電力を供給する点灯回路１６を放熱体１１に内蔵し、点灯回路１６と口金１５を電気的に接続したＬＥＤランプ４０であって、グローブ１４内にＬＥＤチップ１２の発する光を乱反射する糸巻き状の乱反射物４１、シルクの薄片、綿の薄片、和紙の薄片、羽毛の薄片、羊毛の薄片をグローブ１４内の温度や湿度変化によって形態が変化するように装填する。【選択図】図５
0003190555.tif 000002
【実用新案登録請求の範囲】
【請求項１】
ＬＥＤチップを実装したモジュール基板を放熱体の一端に固定し、モジュール基板を覆うように透明又は半透明のグローブを放熱体に取り付け、放熱体の他端側に口金を取り付け、ＬＥＤチップに電力を供給する点灯回路を放熱体に内蔵し、点灯回路と口金を電気的に接続したＬＥＤランプであって、
グローブ内にＬＥＤチップの発する光を乱反射する糸巻き状の乱反射物をグローブ内の温度又は湿度の変化によって伸長収縮又は膨張圧縮することによりその形態が不規則に変化するように装填したことを特徴とするＬＥＤランプ。
【請求項２】
ＬＥＤチップを実装したモジュール基板を放熱体の一端に固定し、モジュール基板を覆うように透明又は半透明のグローブを放熱体に取り付け、放熱体の他端側に口金を取り付け、ＬＥＤチップに電力を供給する点灯回路を放熱体に内蔵し、点灯回路と口金を電気的に接続したＬＥＤランプであって、
グローブ内にＬＥＤチップの発する光を乱反射する乱反射物としてシルクの薄片をグローブ内の温度又は湿度の変化によって伸長収縮又は膨張圧縮することによりその形態が不規則に変化するように装填したことを特徴とするＬＥＤランプ。
【請求項３】
ＬＥＤチップを実装したモジュール基板を放熱体の一端に固定し、モジュール基板を覆うように透明又は半透明のグローブを放熱体に取り付け、放熱体の他端側に口金を取り付け、ＬＥＤチップに電力を供給する点灯回路を放熱体に内蔵し、点灯回路と口金を電気的に接続したＬＥＤランプであって、
グローブ内にＬＥＤチップの発する光を乱反射する乱反射物として綿の薄片をグローブ内の温度又は湿度の変化によって伸長収縮又は膨張圧縮することによりその形態が不規則に変化するように装填したことを特徴とするＬＥＤランプ。
【請求項４】
ＬＥＤチップを実装したモジュール基板を放熱体の一端に固定し、モジュール基板を覆うように透明又は半透明のグローブを放熱体に取り付け、放熱体の他端側に口金を取り付け、ＬＥＤチップに電力を供給する点灯回路を放熱体に内蔵し、点灯回路と口金を電気的に接続したＬＥＤランプであって、
グローブ内にＬＥＤチップの発する光を乱反射する乱反射物として和紙の薄片をグローブ内の温度又は湿度の変化によって伸長収縮又は膨張圧縮することによりその形態が不規則に変化するように装填したことを特徴とするＬＥＤランプ。
【請求項５】
ＬＥＤチップを実装したモジュール基板を放熱体の一端に固定し、モジュール基板を覆うように透明又は半透明のグローブを放熱体に取り付け、放熱体の他端側に口金を取り付け、ＬＥＤチップに電力を供給する点灯回路を放熱体に内蔵し、点灯回路と口金を電気的に接続したＬＥＤランプであって、
グローブ内にＬＥＤチップの発する光を乱反射する乱反射物として羽毛の薄片をグローブ内の温度又は湿度の変化によって伸長収縮又は膨張圧縮することによりその形態が不規則に変化するように装填したことを特徴とするＬＥＤランプ。
【請求項６】
ＬＥＤチップを実装したモジュール基板を放熱体の一端に固定し、モジュール基板を覆うように透明又は半透明のグローブを放熱体に取り付け、放熱体の他端側に口金を取り付け、ＬＥＤチップに電力を供給する点灯回路を放熱体に内蔵し、点灯回路と口金を電気的に接続したＬＥＤランプであって、
グローブ内にＬＥＤチップの発する光を乱反射する乱反射物として羊毛の薄片をグローブ内の温度又は湿度の変化によって伸長収縮又は膨張圧縮することによりその形態が不規則に変化するように装填したことを特徴とするＬＥＤランプ。
【考案の詳細な説明】
【技術分野】
【０００１】
本考案は、ＬＥＤチップを光源として内蔵するＬＥＤランプに関する。
【背景技術】
【０００２】
近時、消費電力の大きい白熱電球に代えて、消費電力の少ないＬＥＤを光源として用いるＬＥＤランプの需要が高まっている。
一般に、この種のＬＥＤランプはＬＥＤチップを実装したモジュール基板を熱伝導性と放熱性に優れたアルミニウムなどの金属性放熱体の一端に固定し、モジュール基板を覆うように透明又は半透明のグローブを放熱体に取付け、放熱体の他端側に口金を取り付け、ＬＥＤチップに電力を供給する点灯回路を放熱体に内蔵し、点灯回路と口金を電気的に接続した構成を備えている。
【先行技術文献】
【特許文献】
【０００３】
【特許文献１】特開２０１１−７０９７２号公報
【特許文献２】特開２０１１−８２１３２号公報
【特許文献３】特開２０１１−９０８２８号公報
【特許文献４】特開２０１１−９１０３３号公報
【考案の概要】
【考案が解決しようとする課題】
【０００４】
ところで、白熱電球の光源であるフィラメントの発する光は周囲に拡散し、周囲を均等に照らすが、ＬＥＤランプの光源として用いられるＬＥＤチップの発する光は高い指向性を有し、前方の狭い領域を強い光で照射するという特性を備えている。
また、白熱電球のフィラメントは点灯時２０００度の高温に達することもあり、フィラメントを覆うグローブの表面が熱せられて、高温になり、これに触ると火傷するおそれがある。
これに対し、ＬＥＤランプの光源であるＬＥＤチップは点灯時の発熱量がフィラメントに比べると極めて低く、点灯時におけるグローブの内部温度を数十度程度に抑えることもできる。
【０００５】
本考案はＬＥＤランプの光源であるＬＥＤチップの有する高指向性及び低発熱性に着目し、その特性を利用して新規な用途を備えたＬＥＤランプを提供することを目的とする。
【課題を解決するための手段】
【０００６】
請求項１に記載の考案は、ＬＥＤチップを実装したモジュール基板を放熱体の一端に固定し、モジュール基板を覆うように透明又は半透明のグローブを放熱体に取り付け、放熱体の他端側に口金を取り付け、ＬＥＤチップに電力を供給する点灯回路を放熱体に内蔵し、点灯回路と口金を電気的に接続したＬＥＤランプであって、
グローブ内にＬＥＤチップの発する光を乱反射する糸巻き状の乱反射物をグローブ内の温度又は湿度の変化によって伸長収縮又は膨張圧縮することによりその形態が不規則に変化するように装填したことを特徴とする。
【０００７】
請求項２に記載の考案は、ＬＥＤチップを実装したモジュール基板を放熱体の一端に固定し、モジュール基板を覆うように透明又は半透明のグローブを放熱体に取り付け、放熱体の他端側に口金を取り付け、ＬＥＤチップに電力を供給する点灯回路を放熱体に内蔵し、点灯回路と口金を電気的に接続したＬＥＤランプであって、
グローブ内にＬＥＤチップの発する光を乱反射する乱反射物としてシルクの薄片をグローブ内の温度又は湿度の変化によって伸長収縮又は膨張圧縮することによりその形態が不規則に変化するように装填したことを特徴とする。
【０００８】
請求項３に記載の考案は、ＬＥＤチップを実装したモジュール基板を放熱体の一端に固定し、モジュール基板を覆うように透明又は半透明のグローブを放熱体に取り付け、放熱体の他端側に口金を取り付け、ＬＥＤチップに電力を供給する点灯回路を放熱体に内蔵し、点灯回路と口金を電気的に接続したＬＥＤランプであって、
グローブ内にＬＥＤチップの発する光を乱反射する乱反射物として綿の薄片をグローブ内の温度又は湿度の変化によって伸長収縮又は膨張圧縮することによりその形態が不規則に変化するように装填したことを特徴とする。
【０００９】
請求項４に記載の考案は、ＬＥＤチップを実装したモジュール基板を放熱体の一端に固定し、モジュール基板を覆うように透明又は半透明のグローブを放熱体に取り付け、放熱体の他端側に口金を取り付け、ＬＥＤチップに電力を供給する点灯回路を放熱体に内蔵し、点灯回路と口金を電気的に接続したＬＥＤランプであって、
グローブ内にＬＥＤチップの発する光を乱反射する乱反射物として和紙の薄片をグローブ内の温度又は湿度の変化によって伸長収縮又は膨張圧縮することによりその形態が不規則に変化するように装填したことを特徴とする。
【００１０】
請求項５に記載の考案は、ＬＥＤチップを実装したモジュール基板を放熱体の一端に固定し、モジュール基板を覆うように透明又は半透明のグローブを放熱体に取り付け、放熱体の他端側に口金を取り付け、ＬＥＤチップに電力を供給する点灯回路を放熱体に内蔵し、点灯回路と口金を電気的に接続したＬＥＤランプであって、
グローブ内にＬＥＤチップの発する光を乱反射する乱反射物として羽毛の薄片をグローブ内の温度又は湿度の変化によって伸長収縮又は膨張圧縮することによりその形態が不規則に変化するように装填したことを特徴とする。
【００１１】
請求項６に記載の考案は、ＬＥＤチップを実装したモジュール基板を放熱体の一端に固定し、モジュール基板を覆うように透明又は半透明のグローブを放熱体に取り付け、放熱体の他端側に口金を取り付け、ＬＥＤチップに電力を供給する点灯回路を放熱体に内蔵し、点灯回路と口金を電気的に接続したＬＥＤランプであって、
グローブ内にＬＥＤチップの発する光を乱反射する乱反射物として羊毛の薄片をグローブ内の温度又は湿度の変化によって伸長収縮又は膨張圧縮することによりその形態が不規則に変化するように装填したことを特徴とする。
【考案の効果】
【００１２】
請求項１に記載の考案によれば、グローブに装填した糸巻き状の乱反射物の形態がグローブ内の温度又は湿度の変化によって伸縮したり膨張圧縮して不規則に変化するので、ＬＥＤランプを点灯する度に予測できない照明効果が生じ、ＬＥＤランプの照明手段としての用途を広げることができる。
【００１３】
請求項２〜６に記載の考案によれば、グローブに装填したシルク、綿、和紙、羽毛、羊毛等の薄片状の乱反射物の形態がＬＥＤランプの点灯又は消灯に伴うグローブ内の温度又は湿度の変化によって伸縮したり膨張圧縮して不規則に変化するので、ＬＥＤランプを点灯する度に予測できない照明効果が生じ、ＬＥＤランプの照明手段としての用途を広げることができる。
【図面の簡単な説明】
【００１４】
【図１】本考案の第１参考例に係るＬＥＤランプを示す断面図である。
【図２】本考案の第１参考例に係るＬＥＤランプの傾けた状態を示す外観図である。
【図３】本考案の第２参考例に係るＬＥＤランプを示す断面図である。
【図４】本考案の第３参考例に係るＬＥＤランプを示す断面図である。
【図５】本考案の第１実施例に係るＬＥＤランプを示す斜視図である。
【図６】本考案の第４参考例に係るＬＥＤランプを示す斜視図である。
【参考例１】
【００１５】
以下に本考案を図面に基づき説明するに、図１及び図２には本考案の第１参考例に係るＬＥＤランプ１０が示されている。当該ＬＥＤランプ１０はアルミニウム製の放熱体１１、ＬＥＤチップ１２を実装したモジュール基板１３、半透明のガラス製または樹脂製のドーム形グローブ１４、口金１５及びＬＥＤチップ１２に電力を供給する点灯回路１６を備えている。
【００１６】
放熱体１１は逆円錐台形の外観を有し、外周部には表面積を増加して放熱効果を高めるため多数のフィン１１ａが形成されている。放熱体１１の上端面には、モジュール基板１３が固定されている。また放熱体１１の内部には、点灯回路１６が内蔵され、モジュール基板１３と点灯回路１６がリード線１７で接続されている。放熱体１１の下端部には口金１５が装着されている。そして、点灯回路１６と口金１５がリード線で電気的に接続されている。
【００１７】
放熱体１１の上端面にはリング溝１１ｂが形成されている。このリング溝１１ｂにグローブ１４の下端開口端部が嵌合している。このグローブ１４はモジュール基板１３を覆うように放熱体１１に着脱可能に取り付けられている。そして、グローブ１４の内部にはＬＥＤチップ１２の発する光を乱反射する乱反射物として、多数のアクリル樹脂製ボール１８が装填され、ボール１８によってグローブ１４の内容積の略半分が占められている。ボール１８の材質はＬＥＤランプ１０の点灯時におけるグローブ１４の内部の最高温度でも溶融したり、着火するおそれのないものが選択されている。
【００１８】
第１参考例に係るＬＥＤランプ１０の構造は以上の通りであって、図１に示すように、ＬＥＤランプ１０を垂直に設置した場合、グローブ１４内のアクリル樹脂製ボール１８は放熱体１１上に積層され、グローブ１４の下半分の容積を占めている。ＬＥＤチップ１２の光は積層したボール１８の表面に当たって乱反射する。
図２に示すように、ＬＥＤランプ１０を、グローブ１４を下に向けて傾けると、ボール１８がグローブ１４の頂部の内側下半分に積層し、ＬＥＤチップ１２の光が積層したボール１８に当たって乱反射される。
第１参考例に係るＬＥＤランプ１０では、グローブ１４に装填したアクリル樹脂製ボール１８の位置がグローブ１８の傾きによって不規則に変動し、ボール１８の積層体の形態が変化するので、ＬＥＤランプ１０の設置の仕方毎に予測できない照明効果を得ることができ、ＬＥＤランプ１０の照明手段としての用途を広げることができる。
【参考例２】
【００１９】
本考案の第２参考例に係るＬＥＤランプ２０を図３に示す。当該ＬＥＤランプ２０のグローブ１４の内部にはナイロン製のリボン２１が軽く丸めて、若しくは圧縮して装填されている。このリボン２１の材質もグローブ１４内の最高温度で溶融したり、着火するおそれのないものが選択されている。
第２参考例に係るＬＥＤランプ２０によれば、グローブ１４に装填した樹脂製リボン２１の形態がＬＥＤランプ２０の点灯や消灯に伴うグローブ１４内の温度又は湿度の変化によって伸縮したり、膨張圧縮して不規則に変化するので、ＬＥＤランプ２０を点灯する度に予測できない照明効果が生じる。
【参考例３】
【００２０】
本考案の第３参考例に係るＬＥＤランプ３０を図４に示す。当該ＬＥＤランプ３０のグローブ１４の内部には、ナイロン製の布片３１が軽く丸めて若しくは圧縮して装填されている。
第３参考例に係るＬＥＤランプ３０によれば、グローブ１４に装填したナイロン製布片３１の形態がＬＥＤランプ３０の点灯や消灯に伴うグローブ１４内の温度又は湿度の変化によって膨張圧縮して不規則に変化するので、ＬＥＤランプ３０を点灯する度に予測できない照明効果が生じる。
【実施例１】
【００２１】
本考案の第１実施例に係るＬＥＤランプ４０を図５示す。当該ＬＥＤランプ４０のグローブ１４内部には、ナイロン製の糸４１が不規則に軽く巻いた状態で装填されている。
第１実施例に係るＬＥＤランプ４０によれば、グローブ１４に装填した糸巻き４１の形態がグローブ１４内の温度又は湿度の変化によって伸縮したり膨張圧縮して不規則に変化するので、ＬＥＤランプ４０を点灯する度に予測できない照明効果が生じる。
【００２２】
本考案の第４参考例に係るＬＥＤランプ５０を図６に示す。当該ＬＥＤランプ５０のグローブ１４内部には、発泡スチロールの砕片５１が装填されている。
第４参考例に係るＬＥＤランプ５０によれば、グローブ１４に装填した発泡スチロール製砕片５１の位置がグローブ１４の傾きによって不規則に変動する。また、発泡スチロール製砕片５１は軽いので、ＬＥＤランプ５０の点灯や消灯に伴うグローブ１４内の温度変化に伴ってグローブ１４内で浮遊する。そのため、ＬＥＤランプ５０の設置の仕方毎に、あるいは点灯毎に予測できない照明効果を得ることができる。
【００２３】
なお、第２参考例、第３参考例、第１実施例と第４参考例に係るＬＥＤランプ２０，３０，４０，５０の構成のうち第１参考例に係るＬＥＤランプ１０と同じ構成要素には同一の符号を付して説明を省略する。
【００２４】
第１参考例に係るＬＥＤランプ１０ではアクリル製ボール１８をグローブ１４に装填したが、ガラス玉を装填することもできる。また、第３参考例に係るＬＥＤランプ３０ではグローブ１４にナイロン製布片３１を装填したが、布片としてシルク、綿、和紙、羽毛又は羊毛を装填したり、若しくはこれらを混合して装填することもできる。
【００２５】
なお、上記参考例及び実施例ではグローブ１４をリング溝１１ｂにはめ込む方式で着脱可能に取り付けたので、乱反射物をユーザーが選択してグローブ１４に装填できる。また、グローブ１４の着脱方法としてグローブ１４と放熱体１１にネジを形成すればより容易にグローブ１４を着脱できる。さらにまた、要すればグローブ１４を接着剤で放熱体１１に固着することも可能である。
【符号の説明】
【００２６】
１０，２０，３０，４０，５０…ＬＥＤランプ
１１…放熱体
１２…ＬＥＤチップ
１３…モジュール基板
１４…グローブ
１５…口金
１６…点灯回路
１８…アクリル樹脂製ボール
２１…ナイロン製リボン
３１…ナイロン製布片
４１…ナイロン製糸
５１…発泡スチロール製砕片
【図１】
0003190555.tif 000003
【図２】
0003190555.tif 000004
【図３】
0003190555.tif 000005
【図４】
0003190555.tif 000006
【図５】
0003190555.tif 000007
【図６】
0003190555.tif 000008